(57)【特許請求の範囲】
【請求項１】
窓ガラスへ連結され、ガイドレールに沿って摺動するスライダと、該スライダが固定されたワイヤと、該ワイヤを駆動させるドラムと、両端部がそれぞれ前記ドラムに対するワイヤの出入り部分に同時に摺擦係合するワイヤ緊張部材とを備え、該ワイヤ緊張部材は、その両端部へ摺擦係合する一方のワイヤの張力によって、他方のワイヤに向かって前記ワイヤの出入り部分と交差する方向へ摺動可能としたことを特徴とするワイヤドラム式ウィンドウレギュレータのワイヤたるみ取り装置。
【請求項２】
前記ドラムに隣接してベースプレートを設置し、該ベースプレート及び前記ドラムを被覆するカバーを設け、前記カバー及びベースプレートの対向面間に前記ワイヤ緊張部材を側方への移動を規制して挟むことにより、前記ワイヤ緊張部材を摺動可能に支持した請求項１に記載のワイヤドラム式ウィンドウレギュレータのワイヤたるみ取り装置。
【請求項３】
前記カバーに前記ワイヤを案内するガイド部を形成し、該ガイド部と前記ドラムとの間に前記ワイヤ緊張部材が設置された請求項２に記載のワイヤドラム式ウィンドウレギュレータのワイヤたるみ取り装置。
【請求項４】
前記ガイドレールの下端部が前記ベースプレートに取り付けられ、前記ワイヤがガイドレールの下端部において前記ガイド部に巻回された請求項３に記載のワイヤドラム式ウィンドウレギュレータのワイヤたるみ取り装置。
【発明の詳細な説明】
【０００１】
【発明の属する技術分野】
本発明は、自動車用として好適なワイヤドラム式ウィンドウレギュレータのワイヤたるみ取り装置に関する。
【０００２】
【従来の技術】
一般的に、自動車用ワイヤドラム式ウィンドウレギュレータは、図１２に示すように、ドア内部に窓ガラスの移動方向に沿うよう配置されたガイドレールａを有し、このガイドレールａに沿って摺動するスライダｂを窓ガラスの下縁へ連結してある。また、ガイドレールａの側方にモータｃで駆動されるドラムｄを設置し、このドラムｄに巻き付けられたワイヤｅを、ガイドレールａの上下端部に装着されたプーリに掛け渡してスライダｂに固定してある。そして、ドラムｄを正逆に回動させると、ワイヤｅがその軸方向両側に摺動し、この結果、スライダｂがガイドレールａに沿って昇降して、スライダｂに連結された窓ガラスも昇降するようになっている。
【０００３】
このようなウィンドウレギュレータでは、組立時の作業性を良くするために、ワイヤｅの長さには若干のゆとりを持たせているが、ワイヤｅが緩んでいると作動時にがたついたり、窓ガラスがその重量によって滑り落ちてしまい、所定の高さに維持することができないなどの問題が発生する。
そこで、従来、バネでワイヤを緊張させて弛みを取る技術が、特公平３−１４５５６号公報等により提案されている。
ところが、窓ガラスを上昇させる場合は、ガイドレールの上端部からドラムに至るワイヤに窓ガラスの重量が加わって緊張する反面、ガイドレールの下端部からドラムに至るワイヤには張力が加わらずに弛みが発生し、窓ガラスを下降させる場合は、これとは逆に上方のワイヤに弛みが発生する。このため、ワイヤの弛みを防ぐには、ドラムよりも上方と下方にそれぞれバネを設置しなければならない。
また、長期間使用するとバネの復元力が低下して、ワイヤを十分に緊張させることができなくなる心配がある。
【０００４】
【発明が解決しようとする課題】
この発明は、１か所にワイヤ緊張部材を取り付けるだけで、窓ガラスの上昇時にも下降時にもワイヤの弛みを除去することができ、長期間に亘って有効に機能するワイヤドラム式ウィンドウレギュレータのワイヤたるみ取り装置を提供することを課題とする。
【０００５】
【課題を解決するための手段】
本発明のワイヤドラム式ウィンドウレギュレータのワイヤたるみ取り装置は、窓ガラスへ連結され、ガイドレールに沿って摺動するスライダと、該スライダが固定されたワイヤと、該ワイヤを駆動させるドラムと、両端部がそれぞれ前記ドラムに対するワイヤの出入り部分に同時に摺擦係合するワイヤ緊張部材とを備え、該ワイヤ緊張部材は、その両端部へ摺擦係合する一方のワイヤの張力によって、他方のワイヤに向かって前記ワイヤの出入り部分と交差する方向へ摺動可能としてある。
【０００６】
スライダの移動に伴って発生する張力により、ワイヤ緊張部材がワイヤの弛んだ側へ強制的に動かされて、ワイヤの弛んだ部分を確実に、必要な量だけ緊張させる。
ワイヤ緊張部材が摺動して、ガイドレールの上下端部からそれぞれドラムに向かって延びるワイヤの弛みを取るので、ワイヤに特別な加工を施す必要が無く、また、１個のワイヤ緊張部材で窓ガラスの上昇時及び下降時のいずれにもワイヤの弛みを除去できる。
ワイヤの動きに追随して摺動することによりワイヤを緊張させるワイヤ緊張部材の弛み取り機能は、弾性によってワイヤの弛みを取るバネのように経年変化を起こすことが無い。
【０００７】
ドラムに隣接してベースプレートを設置し、該ベースプレート及びドラムを被覆するカバーを設け、前記カバー及びベースプレートの対向面間にワイヤ緊張部材を側方への移動を規制して挟むことにより、前記ワイヤ緊張部材を摺動可能に支持しても良い。
ドラムを覆うカバーを利用してワイヤ緊張部材を支持したことにより、構造が簡易化されてコンパクトになる。
【０００８】
この場合に、カバーにワイヤを案内するガイド部を形成し、該ガイド部とドラムとの間にワイヤ緊張部材を設置することもできる。これにより、ワイヤがスムーズに移動すると共に、装置がさらに小型化される。
また、ガイドレールの下端部をベースプレートに取り付け、ワイヤをガイドレールの下端部においてガイド部に巻回することも可能である。この構成により、ガイドレールを取り付けるためのブラケット、及び、ガイドレール下端部においてワイヤを案内する下部ガイド部材を省略できる。
【０００９】
【発明の実施の形態】
図１乃至図８は、自動車用ワイヤドラム式ウィンドウレギュレータのワイヤたるみ取り装置である第１の実施形態を示す。
ワイヤドラム式ウィンドウレギュレータは、図１に示すように、図示しない窓ガラスの移動方向に沿って配設されたガイドレール１と、窓ガラスへ連結されると共に、ガイドレール１に沿って摺動するスライダ２と、スライダ２が固定されるワイヤ３と、ワイヤ３を駆動させるドラム４とを備え、ガイドレール１とドラム４との間に、ワイヤ３の弛みを取るワイヤ緊張部材５が設置される。
【００１０】
ガイドレール１の上下端部には、それぞれワイヤ３を案内するための上部ガイド部材６及び下部ガイド部材７が装着される。また、ガイドレール１の上部寄り及び下部寄りには両側方に張り出すブラケット８，８’が設けられ、これらのブラケット８，８’を介してガイドレール１がドアパネルに固定される。
スライダ２は、窓ガラスの下端部に固着された連結用ブラケットと結合され、ガイドレール１に沿って上部ガイド部材６と下部ガイド部材７との間を昇降する。
ドラム４はガイドレール１の側方にやや間隔を開けて設置され、その回転軸は駆動モータ９の出力軸に連結されて、駆動モータ９を作動させるとドラム４が正逆両方向に回動するようになっている。
【００１１】
ワイヤ３は、上部ガイド部材６及び下部ガイド部材７により屈曲案内されて、ガイドレール１に沿って掛け渡され、ガイドレール１の上端部からドラム４に至るワイヤ３と、ガイドレール１の下端部からドラム４に至るワイヤ３とが互いに交差した後、このワイヤ交差部とドラム４との間に設置されたガイド部１１に案内されてドラム４の外周に巻き付けられる。
そして、上部ガイド部材６と下部ガイド部材７との間において、ワイヤ３にスライダ２が固着される。
【００１２】
従って、駆動モータ９を作動させてドラム４を図１の右回りに回転させると、ガイドレール１の上端部からドラム４に至るワイヤ３がドラム４に巻き取られて、ワイヤ３はガイドレール１に沿って上方に移動する。この結果、ワイヤ３に固定されたスライダ２がガイドレール１に沿って上昇して、窓ガラスが押し上げられる。
一方、駆動モータ９を逆転させてドラム４を左回りに回転させると、ガイドレール１の下端部からドラム４に至るワイヤ３がドラム４に巻き取られて、ワイヤ３はガイドレール１に沿って下降し、ワイヤ３に固定されたスライダ２及びスライダ２に固着された窓ガラスも下降する。
【００１３】
図３の（イ）に示すように、ワイヤ緊張部材５は、上下に長い長円形の平面形状を有し、ドラム４とガイド部１１との間に上下方向に摺動自在に設置される。ワイヤ緊張部材５の上下方向の寸法は、ドラム４及びガイド部１１の直径よりも大きく形成されている。
また、図３の（ロ）に示すように、ワイヤ緊張部材５の上下両端部の外周面には、ワイヤ３と係合する溝１３が形成されている。これらの溝１３は、ワイヤ緊張部材５の厚み方向に対してワイヤ３が斜めに通過するため、中央部において最も狭い略鼓状に形成されている。
【００１４】
図１及び図２に示すように、ドラム４とガイドレール１との間には、ワイヤ緊張部材５を支持するベースプレート１０と、ベースプレート１０及びドラム４を被覆するカバー１６が設置される。
図４に示すように、ベースプレート１０の裏面には、ドアフレームに固定されると共に、ドラム４のワイヤ出入り口とベースプレート１０の高さを一致させるための支持脚１２が設けられる。
また、ガイドレール１と逆側において、ベースプレート１０にはドラム４を係合するための半円状の切欠１４が形成される。
さらに、ベースプレート１０の表面には、上下方向に沿って２本の突条２１が互いに平行に形成されている。突条２１は、ワイヤ緊張部材５の上下寸法よりもやや短く、ワイヤ緊張部材５の幅よりやや狭い間隔をおいて形成される。
【００１５】
カバー１６はベースプレート１０の表面に被せられてボルト等により固定され、カバー１６の一側にはガイド部１１が一体に形成されている。また、ガイド部１１はガイドレール１側へ張り出しており、張り出した部分の外周面には、ワイヤ３を案内する２条のガイド溝１５が形成されている（図２）。
図５に示すように、カバー１６の他側にはドラム被覆部１９が突設される。このドラム被覆部１９及びガイド部１１はカバー１６の裏面に突出しており、ドラム被覆部１９とガイド部１１との間に、ワイヤ緊張部材５の幅とほぼ同幅の緊張部材係合溝１８が形成されている。
【００１６】
また、緊張部材係合溝１８の上下方向の寸法はワイヤ緊張部材５より長く形成され、その裏面にワイヤ緊張部材５の上下寸法よりもやや短い２本の突条１７が上下方向に沿って形成されている。
さらに、カバー１６の裏面には、ガイド部１１を挟んだ位置から、突条１７の上下方を通り、ドラム被覆部１９の上下部に達するワイヤ通路２０がそれぞれ形成されており、互いに交差した後、ガイド部１１の各ガイド溝１５にそれぞれ係合されたワイヤ３は、上下のワイヤ通路２０を通ってドラム４に達するようになっている。
【００１７】
緊張部材係合溝１８にワイヤ緊張部材５を配置して、ベースプレート１０の突条２１とカバー１６の突条１７とでワイヤ緊張部材５を表裏から挟むと（図３のロ）、緊張部材係合溝１８はワイヤ緊張部材５と同幅で、ワイヤ緊張部材５より上下に長く形成されているので、ワイヤ緊張部材５の側方への移動が規制され、ワイヤ緊張部材５は突条１７に沿って上下方向のみへ摺動することができる。
また、ワイヤ緊張部材５の上下寸法はドラム４及びガイド部１１の直径より大きいので、ドラム４とガイド部１１との間に設置されたワイヤ緊張部材５の上下端部外周（溝１３の底部）は、ドラム４に対するワイヤ３の出入り部分（上方の部分３ａ及び下方の部分３ｂ）に同時に摺擦係合する（図１）。そして、ワイヤ３の出入り部分３ａ，３ｂとワイヤ緊張部材５の摺動方向とは互いに交差することになる。
【００１８】
スライダ２が中立位置にあって、ドラム４に対するワイヤ３の出入り部分３ａ，３ｂに均等に張力が加わっている場合は、図６に示すように、ワイヤ緊張部材５もその可動範囲の中間部に位置し、この結果、ワイヤ３の出入り部分３ａ，３ｂは同じ程度に湾曲した状態となる。
スライダ２が下降する際は、ガイドレール１の下端部からドラム４に至るワイヤ３に張力が加わり、ガイドレール１の上端部からドラム４に至るワイヤ３が弛緩しようとする。ところが、図７に示すように、ワイヤ３の出入り部分の内、下方から延びたワイヤ３の延長部分である上方の部分３ａの張力によりワイヤ緊張部材５が押し下げられるので、ワイヤ緊張部材５の下端で押された下方の部分３ｂが大きく湾曲して、上方からドラム４方向へ延びたワイヤ３の弛みが除去される。
【００１９】
スライダ２が上昇するときには、ガイドレール１の上端部からドラム４に至るワイヤ３に張力が加わり、ガイドレール１の下端部からドラム４に至るワイヤ３が弛緩しようとする。しかし、図８に示すように、下方の部分３ｂに加わる張力によってワイヤ緊張部材５が押し上げられるため、ワイヤ緊張部材５の上端で押されたワイヤ３の上方の部分３ａが湾曲して弛みが除去される。
即ち、ガイドレール１の上端部からドラム４に至るワイヤ３の弛みであっても、ガイドレール１の下端部からドラム４に至るワイヤ３の弛みであっても、同じワイヤ緊張部材５がスライダ２の移動に応じて上下に摺動することにより、これを除去することができる。
【００２０】
図９は、本発明の第２の実施形態を示す。
ガイド部１１は、カバー１６の一側の上下両端部にやや間隔をあけて設けられ、上下のカバー１６の対向面は円弧状に形成されている。
そして、ガイドレール１の上端部で屈曲案内されたワイヤ３は、上方のガイド部１１の下面に係合されてドラム４に至り、ガイドレール１の下端部で屈曲案内されたワイヤ３は、下方のガイド部１１の上面に係合されてドラム４に至り、ドラム４に対するワイヤ３の出入り部分３ａ，３ｂにワイヤ緊張部材５の上下端部が同時に摺擦係合している。
その他の構成及び作用は、第１の実施形態とほぼ同様なので、同一部分に同一符号を付して、詳細な説明を省略する。
【００２１】
図１０は、本発明の第３の実施形態を示す。
ガイドレール１の下側方にドラム４を設置し、ガイドレール１の下端部寄りにはブラケット８’を設けず、ベースプレート１０にガイドレール１の下端部を取り付けてある。
また、カバー１６にガイド部１１が形成されず、ガイドレール１の下端部に、滑車状のガイド部１１が回動自在に装着されている。そして、ガイドレール１の上端部からドラム４に至るワイヤ３と、ガイドレール１の下端部のガイド部１１によって屈曲案内されたワイヤ３とは互いに交差した後、ドラム４に巻回される。
【００２２】
さらに、ワイヤ３の交差部とドラム４との間にワイヤ緊張部材５が上下摺動自在に配置され、ワイヤ緊張部材５の両端部外周に形成された溝１３がワイヤ３のドラム４に対する出入り部分（上方の部分３ａ及び下方の部分３ｂ）へ同時に摺擦係合される。
このようにすると、ガイドレール１の下部をドアフレームに取り付けるためのブラケット８’及びガイドレール１の下端部に装着された下部ガイド部材７を省くことができる。
その他の構成及び作用は、第１の実施形態とほぼ同様なので、詳細な説明を省略する。
【００２３】
図１１は、本発明の第４の実施形態を示す。
本実施形態は、第３の実施形態とほぼ同様の構成を有するが、ガイドレール１の下方にドラム４が配置され、ガイドレール１の下端部に装着されたガイド部１１とドラム４との間にワイヤ緊張部材５が左右へ摺動自在に設置されている。
そして、ガイド部１１の右側へ係合されたワイヤ３とガイド部１１の左側へ係合されたワイヤ３とは互いに交差した後ドラム４に巻き付けられ、ドラム４に対するワイヤ３の出入り部分（右方の部分３ｃ及び左方の部分３ｄ）はワイヤ緊張部材５の両側端部にそれぞれ摺擦係合されている。
このように、ワイヤ緊張部材５が左右方向へ摺動しても、ワイヤ３の出入り部分３ｃ，３ｄとワイヤ緊張部材５の摺動方向とは互いに交差しているので、上記した各実施形態と同様に、ウィンドウガラスの上昇時及び下降時にワイヤ３の弛みを除去することができる。
【００２４】
【発明の効果】
請求項１に係る発明によれば、ワイヤの張力によりワイヤ緊張部材が強制的に摺動されるので、スライダの位置に応じてワイヤを適切な量だけ確実に緊張させることができる。
ワイヤに特別な加工を施す必要が無く、また、１個のワイヤ緊張部材を設置するだけで、窓ガラスの上昇時及び下降時のいずれにもワイヤの弛みを除去できる。さらに、弾性によってワイヤの弛みを取るバネのように経年変化を起こすことが無いため、耐久性が大幅に向上する。
【００２５】
請求項２に係る発明によれば、ドラムを覆うカバーを利用してワイヤ緊張部材を支持してあるので、構造が簡易化されて装置がコンパクトになる。
請求項３に係る発明によれば、ワイヤがスムーズに移動し、装置がさらに小型化される。
請求項４に係る発明によれば、ガイドレールの下部を取り付けるためのブラケット、及び、ガイドレール下端部においてワイヤを案内する下部ガイド部材を省略できるので、いっそう構造が簡単になる。
【図面の簡単な説明】
【図１】第１の実施形態を示すワイヤドラム式ウィンドウレギュレータのワイヤたるみ取り装置の正面図
【図２】同上の要部端面図
【図３】ワイヤ緊張部材を示す図であり、（イ）は正面図、（ロ）は端面図
【図４】ベースプレートを示す図であり、（イ）は正面図、（ロ）は端面図
【図５】カバーを示す図であり、（イ）は裏面図、（ロ）は端面図
【図６】ワイヤドラム式ウィンドウレギュレータのワイヤたるみ取り装置のスライダ中立位置における正面図
【図７】同上のスライダ下限位置における正面図
【図８】同上のスライダ上限位置における正面図
【図９】第２の実施形態を示すワイヤドラム式ウィンドウレギュレータのワイヤたるみ取り装置の正面図
【図１０】第３の実施形態を示すワイヤドラム式ウィンドウレギュレータのワイヤたるみ取り装置の正面図
【図１１】第４の実施形態を示すワイヤドラム式ウィンドウレギュレータのワイヤたるみ取り装置の正面図
【図１２】従来のワイヤドラム式ウィンドウレギュレータの正面図
【符号の説明】
１  ガイドレール
２  スライダ
３  ワイヤ
３ａ，３ｂ，３ｃ，３ｄ  ワイヤの出入り部分
４  ドラム
５  ワイヤ緊張部材
６  上部ガイド部材
７  下部ガイド部材
８，８’  ブラケット
９  駆動モータ
１０  ベースプレート
１１  ガイド部
１２  支持脚
１３  溝
１４  切り欠き
１５  ガイド溝
１６  カバー
１７  突条
１８  緊張部材係合溝
１９  ドラム被覆部
２０  ワイヤ通路
２１  突条
【図１】
0003762706.tif 000002
【図２】
0003762706.tif 000003
【図３】
0003762706.tif 000004
【図４】
0003762706.tif 000005
【図５】
0003762706.tif 000006
【図６】
0003762706.tif 000007
【図７】
0003762706.tif 000008
【図８】
0003762706.tif 000009
【図９】
0003762706.tif 000010
【図１０】
0003762706.tif 000011
【図１１】
0003762706.tif 000012
【図１２】
0003762706.tif 000013